(57)【要約】【課題】ネットワークに接続された監視対象の構成情報のバックアップに掛かる時間を短くした運用監視装置、運用監視システム及び運用監視プログラムを得ることを目的とする。【解決手段】監視対象から取得した更新日時と、前回監視対象から取得した更新日時とが同じである場合、前記監視対象から構成情報を取得しないことを特徴とする。【選択図】図１
2009128999.tif 000002
【特許請求の範囲】
【請求項１】
ネットワークに接続された監視対象から、該監視対象の自己の動作を規定した構成情報を周期的に取得する運用監視装置において、
前記構成情報及び前記構成情報の更新日時の取得指示に基づき、前記監視対象から前記構成情報及び前記更新日時を取得する通信制御管理部と、
前記監視対象から取得した更新日時が、前回取得した更新日時と同じであるか否かの確認を行い、前記監視対象から取得した更新日時が前回取得した更新日時と同じである場合、前記監視対象から構成情報の取得を指示しない制御管理部と
を備えた運用監視装置。
【請求項２】
前記監視対象から取得した構成情報と更新日時とを対応付けて記憶する記憶部と、
前記制御管理部からの指示に基づき、前記記憶部へ前記通信制御管理部が取得した構成情報及び更新日時の書き込み及び読み出しを行うデータベース管理部と
を備えたことを特徴とする請求項１記載の運用監視装置。
【請求項３】
ネットワークに接続された監視対象と、前記ネットワークを介して、前記監視対象から、該監視対象の自己の動作を規定した構成情報を周期的に取得する運用監視装置とを備えた運用監視システムにおいて、
前記運用監視装置は、
前記構成情報及び前記構成情報の更新日時の取得指示に基づき、前記監視対象から前記構成情報及び前記構成情報の更新日時を取得する通信制御管理部と、前記監視対象から取得した更新日時が、前回取得した更新日時と同じであるか否かの確認を行い、前記監視対象から取得した更新日時が前回取得した更新日時と同じである場合、前記監視対象から構成情報の取得を指示しない制御管理部とを備え、
前記監視対象は、
前記構成情報をその更新日時と共に記憶した構成情報記憶部と、
前記構成情報記憶部から構成情報又は更新日時を読み出す構成情報管理部と、
前記通信制御管理部が前記指示を受信すると、前記構成情報記憶部に記憶された更新日時又は構成情報を読み出すよう前記構成情報管理部へ指示し、該読み出された更新日時又は構成情報を前記運用監視装置へ送出する装置制御部とを備え
たことを特徴とする運用監視システム。
【請求項４】
ネットワークに接続された監視対象から、該監視対象の自己の動作を規定した構成情報を周期的に取得する運用監視装置を構成するコンピュータを、
前記構成情報及び前記構成情報の更新日時の取得指示に基づき、前記監視対象から前記構成情報及び前記構成情報の更新日時を取得する通信制御管理手段と、
前記監視対象から取得した更新日時が前回取得した更新日時と一致するか否かの確認を行い、前記監視対象から取得した更新日時が前回取得した更新日時と同じである場合、前記監視対象からの構成情報の取得を指示しない制御管理手段と
として機能させるための運用監視プログラム。
【発明の詳細な説明】
【技術分野】
【０００１】
この発明は、ネットワークに接続された監視対象が多数接続されたネットワークにおいて、前記監視対象の交換の際に必要な情報のバックアップを行うのに適した運用監視装置、運用監視システム及び運用監視プログラムに関する。
【背景技術】
【０００２】
従来、複数の通信装置間でネットワークを構築する場合、前記通信装置を遠隔操作で運用、監視、制御及び保守するための運用監視装置（一般にＯｐＳ（Operation System）とも呼ばれる）が合わせて該ネットワークに導入されていた。そして、従来の運用監視装置には、ネットワークに接続された監視対象である全ての通信装置から、該通信装置の動作を規定した構成情報を取得して記憶するものがあった（例えば、特許文献１参照）。
【０００３】
【特許文献１】特開２００２−３１８７３６号公報
【発明の開示】
【発明が解決しようとする課題】
【０００４】
従来の運用監視装置は上記のように、ネットワークに接続された監視対象である全ての通信装置から構成情報を取得するよう構成されていたため、ネットワークに多数、例えば１０００台以上、の通信装置が接続されている場合には、構成情報のバックアップに非常に時間が掛かるという課題があった。また、何らかの障害により前記通信装置の交換を行う場合、運用監視装置のオペレータにより不定期に行われる構成情報の設定変更がバックアップされた構成情報に反映されている必要がある。すなわち、交換後の通信装置の稼動状態を、交換が必要となった直前の状態にすることが理想であり、構成情報のバックアップを周期的に行い、かつ該周期を短くする必要があるが、構成情報のバックアップに時間が掛かるためバックアップ周期が長くなるという課題があった。また、ネットワークに接続された多数の通信装置の全てから構成情報を取得するため、ネットワーク上の通信量が増大するという課題があった。また、バックアップを周期的に行い、数世代分の構成情報を記憶しておくため、構成情報を記憶するために必要な記憶容量が増大し、運用監視装置の初期導入コストが増大するという課題があった。
【０００５】
この発明は、上記のような課題を解決するためになされたもので、ネットワークに接続された監視対象の構成情報のバックアップに掛かる時間を短くした運用監視装置、運用監視システム及び運用監視プログラムを得ることを目的とする。
【課題を解決するための手段】
【０００６】
この発明に係る運用監視装置は、監視対象から取得した更新日時と、前回監視対象から取得した更新日時とが同じである場合、前記監視対象から構成情報を取得しないことを特徴とする。
【発明の効果】
【０００７】
この発明によれば、監視対象から取得した更新日時と、前回監視対象から取得した更新日時とが同じである場合、前記監視対象から構成情報を取得しないようにしたので、ネットワークに接続された監視対象の構成情報のバックアップに掛かる時間を短くできる効果がある。
【発明を実施するための最良の形態】
【０００８】
以下、この発明における、実施の形態の一例について、添付の図面に従って説明する。
実施の形態１．
図１は、この実施の形態１による運用監視システムの構成図である。この実施の形態１による運用監視システムは、監視ネットワーク２に接続された監視対象である複数の通信装置３（３−１から３−ｎ）と、監視ネットワーク２を介して接続され、通信装置３の自己の動作や振る舞いを規定した構成情報を各通信装置３から所定の周期で取得してバックアップする運用監視装置１とを備える。なお、この実施の形態１による運用監視装置１は、監視ネットワーク２に接続された各通信装置３に固有の番号である装置ＩＤを付与する機能を備えており、各通信装置３−１から３−ｎには、装置ＩＤとして１からｎが付与されている。また、運用監視装置１及び通信装置３は、それぞれコンピュータで構成される。
【０００９】
図２は、図１で示した通信装置３の機能構成を示したブロック図である。
通信装置３は、対運用監視装置通信制御管理部（通信制御管理部）３１、装置制御部３２、構成情報管理部３３及び構成情報記憶部３４を備える。対運用監視装置通信制御管理部３１は、運用監視装置１からネットワーク２を介して送信された指示を受信する。装置制御部３２は、対運用監視装置通信制御管理部３１で受信した指示を解釈し、自己の設定変更処理を実行する。
【００１０】
また、装置制御部３２は、前記設定変更処理が成功すると、構成情報管理部３３へ設定変更処理後の構成情報をその更新日時と共に構成情報記憶部３４へ記憶するよう指示する。また、装置制御部３２は、対運用監視装置通信制御管理部３１で受信した指示を解釈し、構成情報記憶部３４に記憶された更新日時及び構成情報を読み出すよう構成情報管理部３３へ指示し、読み出された更新日時及び構成情報を運用監視装置１へ送信するよう対運用監視装置通信制御管理部３１へ指示する。
【００１１】
構成情報管理部３３は、装置制御部３２の指示に基づき、構成情報記憶部３４へ構成情報及び更新日時の書き込みを行うと共に、構成情報記憶部３４から構成情報及び更新日時の読み出しを行う。構成情報記憶部３４は、書き換え可能なＨＤＤ（Hard Disk Drive）やフラッシュメモリ等の不揮発性の２次メモリである。なお、通信装置３の設定変更は、この実施の形態１による運用監視システムの加入者の追加、削除、変更等に伴う拡張工事や縮退工事の際に、オペレータが運用監視装置１を操作することにより不定期に行われる。
【００１２】
図３は、図２で示した通信装置３のソフトウェア構成を示した図であり、図２に示した対運用監視装置通信制御管理部３１、装置制御部３２及び構成情報管理部３３の各構成は、それぞれＯＳ（Operation System）上で動作する対運用監視装置通信制御管理プログラム３１ａ、装置制御プログラム３２ａ、構成情報管理プログラム３３ａ及びこれらプログラムを実行するためのＣＰＵやメモリ等のハードウェアを備えたコンピュータで構成されている。
【００１３】
図４は、図１で示した運用監視装置１の機能構成を示したブロック図である。運用監視装置１は、通信制御管理部１１、対通信装置制御管理部（制御管理部）１２、データベース管理部１３、記憶部１４を備える。通信制御管理部１１は、対通信装置制御管理部１２からの指示に基づき、監視ネットワーク２に接続された通信装置３から構成情報及び更新日時を取得する。記憶部１４は、通信装置３から取得した構成情報と更新日時とを対応付けて記憶する書き換え可能なＨＤＤ等の不揮発性の２次メモリである。
【００１４】
データベース管理部１３は、対通信装置制御管理部１２からの指示に基づき通信制御管理部１１が通信装置３から取得した構成情報及び更新日時を記憶部１４へ書き込む。また、データベース管理部１３は、対通信装置制御管理部１２からの指示に基づき記憶部１４へ記憶された更新日時の読み出しを行う。対通信装置制御管理部１２は、通信装置３から更新日時及び構成情報を取得するよう所定の周期で通信制御管理部１１へ指示する。また、対通信装置制御管理部１２は、通信制御管理部１１が通信装置３から取得した更新日時が、記憶部１４に記憶された前回取得の更新日時と同じであるか確認を行うと共に、通信制御管理部１１が通信装置３から取得した構成情報及び更新日時を記憶部１４へ記憶するようデータベース管理部１３へ指示する。
【００１５】
図５は、図４で示した運用監視装置１のソフトウェア構成及び記憶部１４のデータベース構成を示した図であり、図４に示した通信制御管理部１１、対通信装置制御管理部１２、データベース管理部１３の各構成は、それぞれＯＳ上で動作する通信制御管理プログラム１１ａ、対通信装置制御管理プログラム１２ａ、データベース管理プログラム１３ａ及びこれらプログラムを実行するためのＣＰＵやメモリ等のハードウェアを備えたコンピュータで構成されている。また、記憶部１４には、世代別及び装置ＩＤ別に、通信装置３から取得した構成情報と更新日時とが対応付けられたデータベースが記憶されており、この実施の形態１では世代の値が最も小さいものが最新の構成情報となっている。なお、世代の値が最も大きいものが最新の構成情報となるようにしても良い。なお、記憶部１４へ記憶される世代数は、監視対象により異なり、運用監視システムの運用者等により決定される。
【００１６】
図６は、図１に示した運用監視システムのバックアップ時における概略動作を示した図である。
運用監視装置１は、監視ネットワーク２に接続された複数の通信装置３のうちの一つに対して、構成情報の更新日時の取得を要求する（構成情報更新日時取得要求）。次に、通信装置３は、運用監視装置１から構成情報更新日時取得要求を受信すると、要求された更新日時を運用監視装置１へ送信する（構成情報更新日時応答）。運用監視装置１は、通信装置３から送信された更新日時が、前回取得した更新日時と同じであるか確認し、同じでない場合には、通信装置３に対して構成情報の取得を要求する（構成情報取得要求）。次に、通信装置３は、運用監視装置１から構成情報取得要求を受信すると、要求された構成情報を運用監視装置１へ送信する（構成情報応答）。次に、運用監視装置１は、通信装置３から送信された構成情報と、先に受信した更新日時とを世代別に対応付けて記憶する。また、運用監視装置１は、監視ネットワーク２に接続された残りの通信装置３に対しても同様の処理を行い、バックアップ処理を終了する。
【００１７】
次に動作について説明する。
図７は、図１に示した運用監視システムのバックアップ動作を示したフローチャートである。
運用監視装置１の対通信装置制御管理部１２では、バックアップ処理が所定の周期で起動されており、該バックアップ処理が起動されると、対通信装置制御管理部１２は、監視ネットワーク２に接続された全ての通信装置３のバックアップを行ったか否かを確認する（ステップＳＴ１）。
【００１８】
ここでは、バックアップ処理が起動されたばかりであるため、対通信装置制御管理部１２は、監視ネットワーク２に接続された複数の通信装置３のうち装置ＩＤが１である通信装置３−１から更新日時を取得するよう通信制御管理部１１へ指示する。次に、通信制御管理部１１は、対通信装置制御管理部１２からの指示に基づき、通信装置３−１へ監視ネットワーク２を介して図６の構成情報更新日時取得要求を送信する。
【００１９】
次に、通信装置３−１の対運用監視装置通信制御管理部３１が、運用監視装置１から送信された構成情報更新日時取得要求を受信すると、装置制御部３２は、構成情報記憶部３４から更新日時を読み出すよう構成情報管理部３３へ指示する。次に、構成情報管理部３３が、構成情報記憶部３４から更新日時を読み出すと、装置制御部３２は、構成情報管理部３３が読み出した更新日時を運用監視装置１へ送信するよう対運用監視装置通信制御管理部３１へ指示する。次に、対運用監視装置通信制御管理部３１は、装置制御部３２からの指示に基づき、図６の構成情報更新日時応答を運用監視装置１へ送信する。
【００２０】
次に、運用監視装置１の通信制御管理部１１が、通信装置３−１から送信された構成情報更新日時応答を受信すると、対通信装置制御管理部１２は、前記構成情報更新日時応答から更新日時を取得する（ステップＳＴ２）。次に、対通信装置制御管理部１２は、装置ＩＤが１で、かつ最新の更新日時、すなわち前回取得された更新日時を記憶部１４から読み出すようデータベース管理部１３へ指示する。次に、データベース管理部１３が、装置ＩＤが１で、かつ前回取得された更新日時を記憶部１４から読み出すと、対通信装置制御管理部１２は、ステップＳＴ２で通信装置３−１から取得した更新日時と、データベース管理部１３が記憶部１４から読み出した更新日時とが同じであるか確認する（ステップＳＴ３）。
【００２１】
次に、対通信装置制御管理部１２は、ステップＳＴ２で通信装置３−１から取得した更新日時と、データベース管理部１３が記憶部１４から読み出した更新日時とが同じでない場合、通信装置３−１から構成情報を取得するよう通信制御管理部１１へ指示する。次に、通信制御管理部１１は、対通信装置制御管理部１２からの指示に基づき、監視ネットワーク２を介して通信装置３−１へ図６の構成情報取得要求を送信する。
【００２２】
次に、通信装置３−１の対運用監視装置通信制御管理部３１が、運用監視装置１から構成情報取得要求を受信すると、装置制御部３２は、構成情報記憶部３４から構成情報を読み出すよう構成情報管理部３３へ指示する。構成情報管理部３３が、構成情報記憶部３４に記憶された構成情報を読み出すと、装置制御部３２は、構成情報管理部３３が読み出した構成情報を運用監視装置１へ送信するよう対運用監視装置通信制御管理部３１へ指示する。次に、対運用監視装置通信制御管理部３１は、装置制御部３２からの指示に基づき、図６の構成情報応答を運用監視装置１へ送信する。
【００２３】
次に、運用監視装置１の通信制御管理部１１が、通信装置３−１から送信された構成情報応答を受信すると、対通信装置制御管理部１２は、前記構成情報応答から構成情報を取得する（ステップＳＴ４）。次に、対通信装置制御管理部１２は、ステップＳＴ４で取得した構成情報と、ステップＳＴ２で取得した更新日時とを記憶部１４に記憶するようデータベース管理部１３へ指示する。次に、データベース管理部１３は、対通信装置制御管理部１２からの指示に基づいて、ステップＳＴ４で取得した構成情報と、ステップＳＴ２で取得した更新日時とを対応付けて世代別に記憶部１４に書き込む。
【００２４】
また、ステップＳＴ３において、ステップＳＴ２で取得した更新日時と、データベース管理部１３が記憶部１４から読み出した更新日時とが同じである場合、対通信装置制御管理部１２は、通信装置３−１からの構成情報の取得を指示することなくステップＳＴ１の処理へ戻る。また、ステップＳＴ４で取得した構成情報を記憶部１４へ記憶する処理が終了した場合にも、対通信装置制御管理部１２は、ステップＳＴ１の処理へ戻る。通信装置３−１についてステップＳＴ１からステップＳＴ４の処理が終了すると、対通信装置制御管理部１２は、監視ネットワーク２に接続された残りの通信装置３−２から３−ｎについてもステップＳＴ１からステップＳＴ４の処理を行い、バックアップ処理を終了する。
【００２５】
以上のように、この実施の形態１による運用監視装置１は、監視ネットワーク２に接続された通信装置３の構成情報の更新日時と、記憶部１４に記憶された構成情報の更新日時とを比較して、更新有無の確認を行い、更新が行われていない通信装置３からは、構成情報を取得しないようにしたので、監視ネットワーク２に接続された通信装置３の構成情報のバックアップに掛かる時間を短くできるという効果がある。
【００２６】
また、監視ネットワーク２に接続された通信装置３のバックアップに掛かる時間を短くできるので、ユーザが通信装置３を使用していない時間帯、例えば夜間等に監視ネットワーク２に接続された全ての通信装置３のバックアップを終了できるという効果がある。
【００２７】
また、通信装置３のバックアップに掛かる時間を短くできるので、１台の運用監視装置１で監視できる通信装置３の数が増え、運用監視装置１の増設に伴う設備投資を抑えることができる効果がある。
【００２８】
また、バックアップに掛かる時間が短くなり、バックアップ周期を短くすることができるため、交換後の通信装置３の稼動状態を、交換が必要となった直前の状態にすることができる可能性が高くなるという効果がある。
【００２９】
また、更新が行われていない通信装置３からは構成情報を取得しないので、バックアップ処理に伴う監視ネットワーク２上の通信量の増大を抑制できるという効果がある。
【００３０】
また、更新が行われていない通信装置３からは構成情報を取得しないので、構成情報を記憶する記憶部１４の記憶容量を減らして、運用監視装置１の初期導入コストを削減できるという効果がある。
【００３１】
なお、この実施の形態１では、監視対象として通信装置３を例に説明を行ったが、他の装置の監視にも該運用監視システムは適用可能である。
【図面の簡単な説明】
【００３２】
【図１】この実施の形態１によるネットワーク監視システムの構成図である。
【図２】通信装置の機能構成を示したブロック図である。
【図３】通信装置のソフトウェア構成を示した図である。
【図４】運用監視装置の機能構成を示したブロック図である。
【図５】運用監視装置のソフトウェア構成及び記憶部のデータベース構成を示した図である。
【図６】運用監視システムのバックアップ時における概略動作を示した図である。
【図７】運用監視システムのバックアップ動作を示したフローチャートである。
【符号の説明】
【００３３】
１  運用監視装置、２  監視ネットワーク、３  通信装置、１１  通信制御管理部、１２  対通信装置制御管理部（制御管理部）、１３  データベース管理部、１４  記憶部、３１  対運用監視装置通信制御管理部（通信制御管理部）、３２  装置制御部、３３  構成情報管理部、３４  構成情報記憶部、１１ａ  通信制御管理プログラム、１２ａ  対通信装置制御管理プログラム、１３ａ  データベース管理プログラム、３１ａ  対運用監視装置通信制御管理プログラム、３２ａ  装置制御プログラム、３３ａ  構成情報管理プログラム。
【図１】
2009128999.tif 000003
【図２】
2009128999.tif 000004
【図３】
2009128999.tif 000005
【図４】
2009128999.tif 000006
【図５】
2009128999.tif 000007
【図６】
2009128999.tif 000008
【図７】
2009128999.tif 000009